(57)【要約】      （修正有）【課題】外観を損なうことがなく、市販のキーボードを使用するにもかかわらずデザイン性を向上させるキーボード取付構造を提供する。【解決手段】装置本体の取付口４の裏面側に台座部材１０が溶接によって取り付けられる。キーボード５は、台座部材１０の挿入口に膨出部８が挿入されるように、段部が台座部材１０の載置片１７上に載置される。保持部材２０を台座部材１０の背面側から挿通させた蝶ねじにより台座部材１０にねじ止めすることで、キーボード５が保持部材２０の係合片２５，２６ｂと載置片１７とによって挟持される。【選択図】図８
0003146981.tif 000002
【実用新案登録請求の範囲】
【請求項１】
キーボードを取り付けるための凹嵌部が設けられた装置本体と、この装置本体の凹嵌部とともに前記キーボードを保持する保持部材とを備え、
前記凹嵌部の底板に前記キーボードの底部を挿入する挿入口と前記キーボードを支承する載置部とを設け、
前記保持部材に前記キーボードの操作部を露呈させる窓と前記キーボードの前面部に係合する係合部とを設け、
前記保持部材を前記凹嵌部の背面側から挿通させたねじによって当該凹嵌部の底板に取り付けることにより前記載置部と前記係合部とによって前記キーボードを挟持したことを特徴とするキーボード取付構造。
【考案の詳細な説明】
【技術分野】
【０００１】
本考案は、装置本体に市販のキーボードを取り付けるキーボード取付構造に関するものである。
【背景技術】
【０００２】
従来のキーボード取付構造としては、キーボード取付卓に固定したフック部材によってキーボードの前面部を位置決めし、キーボード取付卓にねじ止めしたブラケットにキーボードの両側部をねじによって取り付けることにより、キーボードをキーボード取付卓に取り付けるようにしたものがある（特許文献１参照）。
【特許文献１】特開２００１−２０４９６５号公報（段落〔００２７〕〜〔００２９〕、図８，９）
【考案の開示】
【考案が解決しようとする課題】
【０００３】
上述した従来のキーボード取付構造においては、ブラケットをキーボード取付卓にねじによって取り付け、キーボードもブラケットにねじによって取り付ける構造としていることにより、ねじの頭部がキーボード取付卓の前面側から視認できるため外観を損なうという問題があった。また、キーボードがキーボード取付卓の表面から突出した状態で取り付けられるため、デザイン的にキーボードとキーボード取付卓との間に一体感に欠ける印象を与えるからデザイン性が低下するといった問題もあった。
【０００４】
本考案はこのような問題を解消するためになされたもので、外観を損なうことがなく市販のキーボードを使用するにもかかわらずデザイン性を向上させたキーボード取付構造を提供することを目的とする。
【課題を解決するための手段】
【０００５】
この目的を達成するために、本考案は、キーボードを取り付けるための凹嵌部が設けられた装置本体と、この装置本体の凹嵌部とともに前記キーボードを保持する保持部材とを備え、前記凹嵌部の底板に前記キーボードの底部を挿入する挿入口と前記キーボードを支承する載置部とを設け、前記保持部材に前記キーボードの操作部を露呈させる窓と前記キーボードの前面部に係合する係合部とを設け、前記保持部材を前記凹嵌部の背面側から挿通させたねじによって当該凹嵌部の底板に取り付けることにより前記載置部と前記係合部とによって前記キーボードを挟持したものである。
【考案の効果】
【０００６】
本考案によれば、保持部材を凹嵌部の背面側から挿通させたねじによって取り付け、キーボードを保持部材の係合部と台座部材の載置部とによって挟持したことにより、装置本体の外部にキーボードを取り付けるためのねじが露呈しないため、ねじの頭部によって外観を損なうようなことがない。また、装置本体の凹嵌部内にキーボードを設置することにより、キーボードが装置本体の表面から突出することがなく、かつ保持部材によってキーボードの外周部を囲むことにより、デザイン的にキーボードと装置本体との間に一体感が生じるという印象を与えることができるためデザイン性を向上させることができる。
【考案を実施するための最良の形態】
【０００７】
以下、本考案に係るキーボード取付構造の一実施の形態を図１ないし図８に基づいて詳細に説明する。図１は本考案に係るキーボード取付構造を実施した装置本体の正面図、図２は同じくキーボードの取付方法を説明するために要部の概略を示す側面図、図３は図２におけるIII 矢視図、図４はキーボードを装置本体に取り付けた状態を示す図２におけるIV矢視図、図５は同じく台座部材を示し、同図（Ａ）は平面図、同図（Ｂ）は同図（Ａ）におけるＶ（Ｂ）矢視図、図６は同じく保持部材を示し、同図（Ａ）は平面図、同図（Ｂ）は同図（Ａ）におけるVI（Ｂ）矢視図、図７は図４におけるVII-VII 線断面図、図８は図４におけるVIII-VIII 線断面図である。
【０００８】
図１に全体を符号１で示す装置本体は、前面板２に表示装置３とキーボード５を装置本体１内に取り付けるために長方形に形成された取付口４とが設けられている。キーボード５の前部６には、図８に示すように多数の押釦が設けられた操作部７が形成されており、底部の中央部には膨出部８が設けられ、この膨出部８の端縁に段部９が形成されている。
【０００９】
図５（Ａ）において、１０は台座部材であって、枠状に形成された底板１１と、この底板１１の外周端から立設された四つの側壁１２，１３，１４，１５からなる囲い壁１６とによって形成されている。この囲い壁１６の外形は、装置本体１の取付口４の外形よりもわずかに大きく形成されている。
【００１０】
底板１１の中央部には、キーボード５の膨出部８が挿入される長方形の挿入口１１ａが形成されており、底板１１の四隅には、後述する蝶ねじ２７が挿通される挿通孔１１ｂが設けられている。１７，１７は挿入口１１ａの左右の内周端から立設された載置片であって、キーボード５の段部９を載置してキーボード５を支承するとともに、キーボード５の膨出部８を両側から挟むように膨出部８の左右の両側部に係合し、キーボード５の左右方向の移動を規制する。
【００１１】
この台座部材１０は、図２に示すように囲い壁１６によって取付口４を覆うように装置本体１の取付口４の裏面側に、溶接によって取り付けられる。このように台座部材１０が装置本体１の取付口４の裏面側に取り付けられることにより、この台座部材１０と取付口４とによって凹嵌部１８が形成される。
【００１２】
図６において、２０は全体が枠状に形成された保持部材であって、四つの辺２１ａ，２１ｂ，２１ｃ，２１ｄからなる前面板２１と、辺２１ｂ，２１ｄの左右の端部を直角に折り曲げ形成した側部２３，２３とによって概ね構成されている。この保持部材２０の外形は、この保持部材２０が装置本体１の取付口４内に挿入可能なように取付口４の外形よりもわずかに小さく形成されている。
【００１３】
左右の側部２３，２３の背面側の端部には、互いに向き合うように直角に折り曲げ形成され、前面板２１の辺２１ｂ，２１ｄに対向する取付片２４，２４が設けられており、これら取付片２４，２４の両端部には、蝶ねじ２７が螺合するねじ孔２４ａ，２４ａが螺設されている。前面板２１の中央部には、キーボード５の操作部７が露呈する略長方形に形成した窓２２が設けられており、この窓２２の辺２１ａ,２１ｃに対応した内周縁には、キーボード５の前面部６に係合する係合片２５，２６ａ，２６ｂが突設されている。
【００１４】
次に、図２、図７、図８を用いて、このように構成されたキーボード取付構造において、キーボードを装置本体に取り付ける方法について説明する。先ず、キーボード５を取付口４から装置本体１内に差し入れ、図８に示すように膨出部８を台座部材１０の挿入口１１ａに挿入することにより、段部９が左右の載置片１７，１７上に載置されるとともに、左右の載置片１７，１７に膨出部８の左右の側部が係合するからキーボード５の左右方向の移動が規制される。このように、台座部材１０の底板１１にキーボード５の膨出部８を挿入する挿入口１１ａを設けたことにより、キーボード５から導出されるケーブル（図示せず）を装置本体１内へ容易に配線することができる。
【００１５】
次いで、保持部材２０を装置本体１の取付口４から装置本体１内へ挿入することにより、取付片２４，２４を台座部材１０の底板１１に対接させる。この状態で、図２に示すように台座部材１０の背面側から蝶ねじ２７を挿通孔１１ｂに挿通させ、保持部材２０のねじ孔２４ａに螺合させることにより、図７に示すように保持部材２０を台座部材１０に取り付ける。上述したように、前面板２１の取付片２４が前面板２１の辺２１ｂ，２１ｄに対向しているため、保持部材２０を台座部材１０に取り付けた蝶ねじ２７はこれら辺２１ｂ，２１ｄによって、装置本体１の前面側から視認することができない。
【００１６】
蝶ねじ２７によって保持部材２０を台座部材１０に取り付けることにより、図８に示すように保持部材２０の係合片２５，２６ａ，２６ｂがキーボード５の前面部６に係合する。したがって、キーボード５は、膨出部８の段部９を載置する載置片１７と前面部６に係合する係合片２５，２６ａ，２６ｂとによって挟持されるため、装置本体１の取付口４内に取り付けられる。
【００１７】
このように、載置片１７と係合片２５，２６ａ，２６ｂとによってキーボード５を挟持するようにし、保持部材２０を台座部材１０に取り付けた蝶ねじ２７を装置本体１の前面側から視認することができないようにしたことにより、装置本体１の外部にキーボード５を取り付けるためのねじが露呈しないため、ねじの頭部によって外観を損なうようなことがない。
【００１８】
また、装置本体１の取付口４内にキーボード５を設置することにより、キーボード５が装置本体１の表面から突出することがない。しかも、保持部材２０の枠状に形成された前面板２１によってキーボード５の外周部を囲むことにより、保持部材２０の素材、色調を装置本体１やキーボード５に合わせることで、デザイン的にキーボード５と装置本体１との間に一体感が生じるという印象を与えることができるためデザイン性を向上させることもできる。
【００１９】
なお、本実施の形態においては、キーボード５の底部を支承する載置部を台座部材１０の底板１１から立設させた載置片１７としたが、キーボード５の形状によっては載置片１７を設けることなく、挿入孔１１ａの内周縁によってキーボード５の底部を支承してもよく、種々の設計変更が可能である。
【図面の簡単な説明】
【００２０】
【図１】本考案に係るキーボード取付構造を実施した装置本体の正面図である。
【図２】本考案に係るキーボード取付構造において、キーボードの取付方法を説明するために要部の概略を示す側面図である。
【図３】図２におけるIII 矢視図である。
【図４】本考案に係るキーボード取付構造において、キーボードを装置本体に取り付けた状態を示す図２におけるIV矢視図である。
【図５】本考案に係るキーボード取付構造における台座部材を示し、同図（Ａ）は平面図、同図（Ｂ）は同図（Ａ）におけるＶ（Ｂ）矢視図である。
【図６】本考案に係るキーボード取付構造における保持部材を示し、同図（Ａ）は平面図、同図（Ｂ）は同図（Ａ）におけるVI（Ｂ）矢視図である。
【図７】図４におけるVII-VII 線断面図である。
【図８】図４におけるVIII-VIII 線断面図である。
【符号の説明】
【００２１】
１…装置本体、４…取付口、５…キーボード、６…前部、７…操作部、８…膨出部、９…段部、１０…台座部材、１１…底板、１１ａ…挿入口、１１ｂ…挿通孔、１７…載置片（載置部）、１８…凹嵌部、２０…保持部材、２２…窓、２４ａ…ねじ孔、２５，２６ａ，２６ｂ…係合片（係合部）、２７…蝶ねじ。
【図１】
0003146981.tif 000003
【図２】
0003146981.tif 000004
【図３】
0003146981.tif 000005
【図４】
0003146981.tif 000006
【図５】
0003146981.tif 000007
【図６】
0003146981.tif 000008
【図７】
0003146981.tif 000009
【図８】
0003146981.tif 000010